(57)【要約】【課題】  襟をフードによって外側から隠蔽せず、その襟の各種変化に富む意匠性を得られ、女性がおしゃれ着としても着用できる雨衣を提供する。【解決手段】  襟元（１６）の上端部から外側へ折り返された襟先（１７）を有する雨衣であって、その襟元（１６）における下端部の内側に沿って、フード取付け用台襟（１８）の下端部を縫い付けると共に、身頃本体（１０）と別個なフード（２３）の下端部を上記台襟（１８）と襟元（１６）との向かい合う内外相互間へ介在する状態として、その台襟（１８）の中途高さ位置へ着脱自在に取り付けた。【選択図】図７
0003221911.tif 000002
【実用新案登録請求の範囲】
【請求項１】
身頃本体における襟元の上端部から外側へ折り返された形態の襟先を有する雨衣であって、
上記襟元における下端部の内側に沿って、フード取付け用台襟の下端部を縫い付けると共に、
身頃本体と別個なフードの下端部を、上記フード取付け用台襟と襟元との向かい合う内外相互間に介在する状態として、そのフード取付け用台襟の中途高さ位置へ着脱自在に取り付けたことを特徴とする雨衣のフード取付装置。
【請求項２】
襟元におけるフード取付け用台襟の縫い付け部よりも上側位置へ、点在分布する複数の排水口を切り抜くと共に、
その排水口を悉く襟先によって外側から被覆したことを特徴とする請求項１記載の雨衣のフード取付装置。
【請求項３】
フード取付け用台襟の上端部を水切り片として、外側への鋭角な折り曲げ状態に列設したことを特徴とする請求項１又は２記載の雨衣のフード取付装置。
【請求項４】
フード取付け用台襟の上端部を襟元の上端部と同じ高さか又は低い高さに設定したことを特徴とする請求項１、２又は３記載の雨衣のフード取付装置。
【請求項５】
フード取付け用台襟に点在分布する複数のボタンを取り付ける一方、
フードにそのボタンと係脱自在に係止するボタン受け入れ口を対応形成したことを特徴とする請求項１、２、３又は４記載の雨衣のフード取付装置。
【請求項６】
フードとその取付け用台襟との何れか一方に、点在分布する複数の雄側ハトメホックを取り付け、
残る他方に、その雄側ハトメホックと係脱自在に係止する雌側ハトメホックを対応設置したことを特徴とする請求項１、２、３又は４記載の雨衣のフード取付装置。
【請求項７】
フードとその取付け用台襟との何れか一方に、雄側の面ファスナーを点在分布する複数又は帯状に設置し、
残る他方に、その雄側の面ファスナーと係脱自在に係止する雌側の面ファスナーを対応的に点在分布する複数又は帯状として設置したことを特徴とする請求項１、２、３又は４記載の雨衣のフード取付装置。
【考案の詳細な説明】
【技術分野】
【０００１】
本考案は雨衣のフード取付装置に関する。
【背景技術】
【０００２】
防水・防寒用のフードを身頃本体の襟元（首周り）へ着脱自在に取り付け使用し得る雨衣（雨合羽／レインウェア）は、特許文献１〜４に記載されているとおり、従来から公知である。
【先行技術文献】
【特許文献】
【０００３】
【特許文献１】特開２００７−１３８３３０号公報
【特許文献２】実用新案登録第３０１３７９０号公報
【特許文献３】特許第３９５２３８０号公報
【特許文献４】実公昭３０−１０１２４号公報
【考案の概要】
【考案が解決しようとする課題】
【０００４】
ところが、上記特許文献１〜４に開示された雨衣（雨合羽／防水着）の構成では、その悉くフード（頭巾）の下端部（付け根部）を上着（上衣）の襟元（首周り）へ、ハトメホックやボタンなどによって外側からの包囲状態に取り付けるようになっている。
【０００５】
そのため、たとえ防水・防寒上有効であるとしても、その上着（上衣）の襟元を隠蔽してしまうことになる結果、言わば折れ曲がった襟先のないスタンドカラータイプの襟に限られて、例えばステンカラータイプやレギュラーカラータイプなどの別異な仕様の襟を採択し難くなり、その襟の各種変化に富む意匠性と延いては所謂おしゃれ着として活用したい女性の要望に対応できない問題がある。
【課題を解決するための手段】
【０００６】
本考案はこのような問題の改良を目的としており、その目的を達成するために、請求項１では身頃本体における襟元の上端部から外側へ折り返された形態の襟先を有する雨衣であって、
【０００７】
上記襟元における下端部の内側に沿って、フード取付け用台襟の下端部を縫い付けると共に、
【０００８】
身頃本体と別個なフードの下端部を上記襟元とフード取付け用台襟との内外相互間に介在する状態として、そのフード取付け用台襟の中途高さ位置へ着脱自在に取り付けたことを特徴とする。
【０００９】
請求項２では襟元におけるフード取付け用台襟の縫い付け位置よりも上側へ、点在分布する複数の排水口を切り抜くと共に、
【００１０】
その排水口を悉く襟先によって外側から被覆したことを特徴とする。
【００１１】
請求項３ではフード取付け用台襟の上端部を水切り片として、外側への鋭角な折り曲げ状態に列設したことを特徴とする。
【００１２】
請求項４ではフード取付け用台襟の上端部を襟元の上端部と同じ高さか又は低い高さに設定したことを特徴とする。
【００１３】
請求項５ではフード取付け用台襟に点在分布する複数のボタンを取り付ける一方、
【００１４】
フードにそのボタンと係脱自在に係止するボタン受け入れ口を対応形成したことを特徴とする。
【００１５】
請求項６ではフードとその取付け用台襟との何れか一方に、点在分布する複数の雄側ハトメホックを取り付け、
【００１６】
残る他方に、その雄側ハトメホックと係脱自在に係止する雌側ハトメホックを対応設置したことを特徴とする。
【００１７】
請求項７ではフードとその取付け用台襟との何れか一方に、雄側の面ファスナーを点在分布する複数又は帯状に設置し、
【００１８】
残る他方に、その雄側の面ファスナーと係脱自在に係止する雌側の面ファスナーを対応的に点在分布する複数又は帯状として設置したことを特徴とする。
【考案の効果】
【００１９】
請求項１の上記構成によれば、フード取付け用台襟が襟元の内側に沿って延在しており、フードはその取付け用台襟と襟元との向かい合う内外相互間に介在する状態として、上記台襟に取り付けられるようになっているため、そのフードを取り付け使用しても、襟先は上記襟元の上端部から外側へ折り返された形態として常に露出することとなり、フード付き雨衣の仕様としても、そのステンカラーやレギュラーカラーなどの別異な外観デザイン（意匠性）を得られ、雨衣として着用できることは勿論、女性に好評な所謂おしゃれ着としても使用できる効果がある。
【００２０】
その場合、特に請求項２の構成を採用するならば、屋外での使用中降雨に遭遇しても、その着用した雨衣のフードを辿って流れ落ちる雨水は、そのフード取付け用台襟と上記襟元との向かい合う内外相互間隙（Ｓ）に侵入し、その内奥部（底部）に臨む襟元の排水口を通じて、自ずと襟元の外側へ排出されることになるため、身頃本体の内部へ雨水の浸透する不快感はない。
【００２１】
しかも、その複数の排水口は上記襟元の上端部から折り返された形態の襟先によって、外側から被覆化粧されるため、上記意匠性の阻害されるおそれもない。
【００２２】
また、請求項３の構成を採用するならば、例えば雨衣を脱ぐ時に、上記フード取付け用台襟がその上端部（自由な先端部）から内側へ倒れ込む如く傾斜状態に変形しても、上記台襟と襟元との内外相互間隙（Ｓ）に侵入した雨水は、その台襟の水切り片に受け止められて、身頃本体の内部へ落ち込むことがなく、上記襟元の排水口へ確実・円滑に誘導・排出される効果がある。
【００２３】
何れにしても、雨衣着用者の首周りは身頃本体からの起立状態に並ぶ襟元とフード取付け用台襟との二重に包囲されることとなるため、その襟の形崩れするおそれはないが、特に請求項４の構成を採用して、フード取付け用台襟の上端部を襟元の上端部よりも低い高さに設定するならば、雨衣を着用した女性の化粧品（ファンデーション）が、その台襟の上端部に付着・汚損するおそれを予防できる効果がある。
【００２４】
更に、請求項５の構成を採用するならば、雨衣の身頃本体に対するフードの取付用具である複数のボタンとそのボタンとの係脱可能なボタン受け入れ口のうち、そのボタン受け入れ口がフード側に開口形成されており、フード取付け用台襟側に開口形成されていないため、雨水が身頃本体の内部へ侵入するおそれはない。
【００２５】
また、請求項５の構成に代えて、請求項６の構成や請求項７の構成を採用しても、フードを身頃本体側のフード取付け用台襟へ、着脱自在に便利良く取り付けることができ、しかもその取付使用状態において雨水が身頃本体の内部へ侵入することを防止し得る効果もある。
【図面の簡単な説明】
【００２６】
【図１】本考案の実施形態に係る雨衣の正面図である。
【図２】フードを取り付けた雨衣の背面図である。
【図３】図２の側面図である。
【図４】雨衣における襟の展開状態を示す正面図である。
【図５】フードを抽出して示す正面図である。
【図６】図４の６−６線に沿う拡大断面図である。
【図７】フードの取付状態を示す図６に対応する側断面図である。
【考案を実施するための形態】
【００２７】
以下、図面に基いて本考案の好適な実施形態を詳述すると、図１〜３は雨衣（ジャケット又はコート）の全体を示しており、（１０）はその身頃本体であって、これには左右一対の長袖（１１）や襟（Ｃ）が各々縫い付けられている。
【００２８】
（１２ａ）（１２ｂ）は上記身頃本体（１０）における前身頃の召し合わせ部（前開き部）に沿って点在分布する雌雄一対ずつの係脱可能なハトメホック（ドット釦）又は複数のボタンとその係脱可能なボタン受け入れ口であり、その上端部のハトメホック（１２ａ）（１２ｂ）又はボタンは襟（Ｃ）の後述する襟元又は／及びフード取付け用台襟に取り付けられている。
【００２９】
（１３ａ）（１３ｂ）は同じく前身頃の中央縦断線上に沿って延在する如く、その召し合わせ部に列設されたスライドファスナーであり、図示の実施形態ではその内側に位置するスライドファスナー（１３ａ）（１３ｂ）と外側に位置する上記ハトメホック（１２ａ）（１２ｂ）又はボタンによって、上記召し合わせ部（前開き部）を重畳的に開閉するようになっているが、ここを防水状態に封止できるならば、上記スライドファスナー（１３ａ）（１３ｂ）とハトメホック（１２ａ）（１２ｂ）又はボタンとの何れか一方を省略してもさしつかえない。
【００３０】
また、（１４ａ）（１４ｂ）はタック（摘まみ縫い状態の余裕を与える襞）を形成するために、上記身頃本体（１０）における後身頃の中央縦断線上に沿って列設された開閉用スライドファスナーであり、これを引き上げ操作して、後身頃を裾部（下端部）から拡開するならば、雨衣の着用者が背負うリュックサックやランドセルなども支障なく被覆して防水状態に保つことができる。
【００３１】
上記襟（Ｃ）を備えた身頃本体（１０）と左右一対の長袖（１１）は、すべて同じポリエステルやナイロン、塩化ビニルなどの合成繊維を基布としており、その基布の表面には撥水性が与えられている一方、同じく基布の裏面には塩化ビニル樹脂コーティングやウレタンコーティング、アクリルコーティング又はこれらのコーティングに代るラミネートなどによる防水性が与えられている。更に、上記基布の裏面には形崩れ防止や通気性を与えるためのメッシュ（網布）（１５）が、縁取り状態に縫い付けられることもある。
【００３２】
上記襟（Ｃ）は図４、６、７から明白なように、身頃本体（１０）の上端部へ任意な高さ（ｈ１）の起立状態に縫い付けられた襟元（首周り）（１６）と、その襟元（１６）に縫い付けられた上端部から外側へ折り返された形態の襟先（１７）を有する言わばレギュラーカラー又はステンカラーの仕様（外観デザイン）になっている。
【００３３】
そして、その身頃本体（１０）の襟（Ｃ）と同じ上記合成繊維の基布から成り、その基布の表面又は／及び裏面にやはり撥水性や防水性を付与された別個なフード取付け用台襟（１８）の下端部が、上記襟元（１６）における下端部の内側に沿って縫い付けられている。
【００３４】
つまり、フード取付け用の台襟（１８）は上記襟元（１６）の高さ（ｈ１）と同じか又はこれよりも低い高さ（帯幅）（ｈ２）と、その襟元（１６）と同じか又はこれよりも長い若しくは短い長さを備えた帯状として、雨衣着用者の首周りを襟元（１６）との二重に包囲する如く、その台襟（１８）の下端部が上記襟元（１６）の内側へ添え付け状態に縫い合わされているのであり、残るフリーな上端部（先端部）が水切り片（１９）として、外側への鋭角（θ）な折り曲げ状態に列設されている。
【００３５】
但し、その水切り片（１９）はフード取付け用台襟（１８）の上端部から連続的に折り曲げる代りに、これを別個な帯状の水切り片（１９）として、そのフード取付け用台襟（１８）の上端部に沿って図６、７にように外側から添え付け状態に縫い合わせても良い。
【００３６】
その場合、フード取付け用台襟（１８）の上端部を上記襟元（１６）の上端部（襟先（１７）の折り返し部）よりも低い高さ（ｈ２）に設定するならば、雨衣を着用した女性の化粧品（ファンデーション）が、その台襟（１８）に付着・汚損するおそれの予防に役立つ。
【００３７】
しかも、上記フード取付け用台襟（１８）の中途高さ位置には、複数のボタン（２０）が一定間隔おきの点在分布状態に取り付けられており、これを後述するフードの着脱可能な取付用具として、その身頃本体（１０）側の台襟（１８）へフードを取り付け使用することができるようになっている。
【００３８】
更に、フード取付け用台襟（１８）の下端部は身頃本体（１０）へ上記襟元（１６）の下端部を縫い付けることと別個に、その襟元（１６）の下端部付近へ縫い付けても良く、またその台襟（１８）の下端部を図６、７のように身頃本体（１０）へ、上記襟元（１６）の下端部と共通の縫い糸（２１）によって一緒に縫い合わせても良い。
【００３９】
この点、図示の実施形態では図６、７から明白なように、上記帯状のフード取付け用台襟（１８）を二重として、その外側台襟（１８ａ）の上端部（先端部）へ外側から水切り片（１９）を添え付け状態に列設すると共に、その外側台襟（１８ａ）の下端部を上記襟元（１６）の下端部と一緒に身頃本体（１０）へ縫い付ける一方、内側台襟（１８ｂ）の下端部を身頃本体（１０）のメッシュ（網布）（１５）へ縫い付けており、その外側台襟（１８ａ）の中途高さ位置に点在分布状態として取り付けられた上記ボタン（２０）の付け根部が内向きに露出することを、内側台襟（１８ｂ）により被覆化粧している。
【００４０】
何れにしても、上記襟元（１６）におけるフード取付け用台襟（１８）の縫い付け部（図示する外側台襟の下端部）よりも上側位置（好ましくは真上位置）には、ほぼ三日月形をなす複数の排水口（２２）が一定間隔おきの点在分布状態に切り抜かれており、ここから雨水を襟元（１６）の外側へ排出できるようになっている。
【００４１】
その場合、上記襟元（１６）には複数の排水口（２２）が点在分布状態に開口しているとしても、その襟元（１６）の上端部から折り返された形態の上記襟先（１７）によって、悉く外側から被覆されることになるため、雨衣の外観デザイン（意匠性）を阻害するおそれはなく、優美な化粧効果を得られるのであり、女性の所謂おしゃれ着として愛用することもできるようになっている。
【００４２】
上記構成を備えた雨衣の身頃本体（１０）に対しては、着脱自在に取り付け使用するための別個な主に防水・防寒用のフード（２３）が予め作成・準備されている。
【００４３】
その別個独立のフード（２３）は上記身頃本体（１０）と同じ合成繊維の基布から成り、その基布の表面には撥水性と裏面には防水性とが与えられている。フード（２３）の正面開口縁部に沿っては、その口径収縮用の調整紐（図示省略）を通し込み列設しておくことが望ましい。そうすれば、フード（２３）が風を受けて、着用者の頭部から脱げるおそれを防止できるからである。
【００４４】
（２４）は上記フード（２３）の下端部（付け根部）へ図５のような一定間隔おきの点在分布状態に開口形成された複数のボタン受け入れ口であって、上記身頃本体（１０）側のフード取付け用台襟（１８）に点在分布する複数のボタン（２０）と対応位置しており、そのフード（２３）側のボタン受け入れ口（２４）をフード取付け用台襟（１８）側のボタン（２０）へ係脱自在に係止させることによって、フード（２３）を身頃本体（１０）へ取り付け使用できるようになっている。
【００４５】
そして、そのフード（２３）付き雨衣を着用して屋外歩行中に、雨水が図７の矢印（Ａ）で示す如く、フード（２３）の表面に沿って流れ落ち、身頃本体（１０）側のフード取付け用台襟（１８）と襟元（１６）との向かい合う内外相互間隙（Ｓ）へ侵入しても、その雨水が身頃本体（１０）の内部へ浸透するおそれはなく、上記内外相互間隙（Ｓ）の内奥部（底部）へ集まるに連れて、自ずと襟元（１６）に開口分布する排水口（２２）を通じて外側へ排出されるため、雨衣の着用者に不快感を与えることはない。
【００４６】
また、雨衣を脱ぐ時などに、万一上記フード取付け用台襟（１８）がその自由な上端部（先端部）から内側へ倒れ込む如く変形しても、その台襟（１８）の上端部は水切り片（１９）として、外側への鋭角（θ）な折り曲げ状態に列設されているため、上記内外相互間隙（Ｓ）に侵入した雨水はその水切り片（１９）に受け止められて、身頃本体（１０）の内部へ落ちることがなく、必ずや襟元（１６）の排水口（２２）へ誘導・排出されるのである。
【００４７】
図示の実施形態では、上記身頃本体（１０）に対してフード（２３）を着脱自在に取り付けるための構成として、フード（２３）側に複数のボタン受け入れ口（２４）を開口分布する一方、そのフード取付け用台襟（１８）側にボタン（２０）を点在分布して、その相互の係脱自在に係止させることにより、雨水が上記フード取付け用台襟（１８）と襟元（１６）との向かい合う内外相互間隙（Ｓ）から、身頃本体（１０）の内部へ侵入しないように工夫してある。
【００４８】
但し、図示省略するが、上記構成に代えて、フード（２３）とその取付け用台襟（１８）との何れか一方に、点在分布する複数の雄側ハトメホック（ドット釦）を取り付け、その雄側ハトメホックと係脱自在に係止する複数の雌側ハトメホック（ドット釦）を、残る他方に対応設置しても良い。
【００４９】
更に別な構成として、上記フード（２３）とその取付け用台襟（１８）との何れか一方に、雄側の面ファスナーを点在分布状態又は帯状に設置し、その雄側の面ファスナーと係脱自在に係止する雌側の面ファスナーを、対応的な点在分布状態又は帯状として残る他方へ設置しても良く、要するに雨水が身頃本体（１０）の内部へ侵入するおそれのない着脱可能な取り付け構成であれば、そのすべて採用に値する。
【００５０】
尚、上記フード（２３）を身頃本体（１０）側のフード取付け用台襟（１８）から取りはずして、そのフード（２３）無しの雨衣として使用できることは言うまでもない。
【符号の説明】
【００５１】
（１０）・・・・・・身頃本体
（１２ａ）（１２ｂ）・・・・・・ハトメホック
（１３ａ）（１３ｂ）・・・・・・スライドファスナー
（１６）・・・・・・襟元
（１７）・・・・・・襟先
（１８）・・・・・・フード取付け用台襟
（１９）・・・・・・水切り片
（２０）・・・・・・ボタン
（２２）・・・・・・排水口
（２３）・・・・・・フード
（２４）・・・・・・ボタン受け入れ口
（Ｃ）・・・・・・襟
（Ｓ）・・・・・・内外相互間隙
（θ）・・・・・・鋭角
（ｈ１）（ｈ２）・・・・・・起立高さ
【図１】
0003221911.tif 000003
【図２】
0003221911.tif 000004
【図３】
0003221911.tif 000005
【図４】
0003221911.tif 000006
【図５】
0003221911.tif 000007
【図６】
0003221911.tif 000008
【図７】
0003221911.tif 000009